(57)【要約】【課題】表示部に列挙して表示される複数の文字情報の内容を確認するユーザーにおいて生じる誤認の発生を抑制可能な表示装置、情報処理装置、及び文字情報表示方法を提供すること。【解決手段】画像処理装置は、複数の文字情報を表示部に設定される表示領域Ａ１０の区分領域Ａ１１〜Ａ１５各々に列挙して表示させる表示処理部と、前記表示処理部により表示される複数の前記文字情報から表示サイズが表示領域Ａ１０のサイズを超える特定文字情報を検出する検出処理部と、前記検出処理部により前記特定文字情報が検出された場合に、前記表示処理部により表示される複数の前記文字情報各々に含まれる単語のうち前記特定文字情報に含まれる前記単語と同一の特定単語を前記特定単語に対応する略語に置換する置換処理部と、を備える。【選択図】図７
2016212652.tif 000002
【特許請求の範囲】
【請求項１】
複数の文字情報を表示部に設定される表示領域に列挙して表示させる表示処理部と、
前記表示処理部により表示される複数の前記文字情報から表示サイズが前記表示領域のサイズを超える特定文字情報を検出する検出処理部と、
前記検出処理部により前記特定文字情報が検出された場合に、前記表示処理部により表示される複数の前記文字情報各々に含まれる単語のうち前記特定文字情報に含まれる前記単語と同一の特定単語を前記特定単語に対応する略語に置換する置換処理部と、
を備える表示装置。
【請求項２】
前記置換処理部は、前記特定文字情報の表示サイズの前記表示領域のサイズからの超過量に応じた数の前記特定単語を前記略語に置換する請求項１に記載の表示装置。
【請求項３】
前記置換処理部は、前記表示処理部により表示される複数の前記文字情報各々を前記文字情報各々に含まれる前記単語が前記単語に対応する前記略語に置換された置換文字情報に置換する請求項１に記載の表示装置。
【請求項４】
請求項１〜３のいずれかに記載の表示装置を備える情報処理装置。
【請求項５】
原稿から画像データを読取可能な画像読取部、及び画像データに基づいて画像を形成可能な画像形成部のいずれか一方又は両方を備える請求項４に記載の情報処理装置。
【請求項６】
複数の文字情報を表示部に設定される表示領域に列挙して表示させる第１ステップと、
前記第１ステップにより表示される複数の前記文字情報から表示サイズが前記表示領域のサイズを超える特定文字情報を検出する第２ステップと、
前記第２ステップにより前記特定文字情報が検出された場合に、前記第１ステップにより表示される複数の前記文字情報各々に含まれる単語のうち前記特定文字情報に含まれる前記単語と同一の特定単語を前記特定単語に対応する略語に置換する第３ステップと、
を含む文字情報表示方法。
【発明の詳細な説明】
【技術分野】
【０００１】
本発明は、表示装置、表示装置を備える情報処理装置、及び文字情報表示方法に関する。
【背景技術】
【０００２】
画像データに基づいて画像処理を行うプリンターのような情報処理装置では、液晶ディスプレーなどの表示部が設けられることがある。この種の情報処理装置では、情報処理装置からユーザーに向けてのメッセージなどの文字情報が前記表示部に表示される。前記文字情報は、前記表示部に設定される表示領域内に表示される。また、この種の情報処理装置では、複数の文字情報が前記表示領域内に列挙して表示されることがある。
【０００３】
ところで、表示部に表示される文字情報の表示サイズが表示部の表示領域のサイズを超える場合がある。例えば、情報処理装置に設けられる表示部のサイズが、情報処理装置の機種によって異なる場合がある。表示部のサイズが異なれば、表示部に設定可能な表示領域のサイズも異なる場合がある。そのため、機種が異なる複数の情報処理装置で共通の文字情報が使用される場合、表示部のサイズが他の機種より小さい情報処理装置において前記表示部に表示される文字情報の表示サイズが表示領域のサイズを超えることがある。これに対し、表示部に表示される文字情報の表示サイズが表示領域のサイズを超える場合に、文字情報に含まれる単語をその単語に対応する略語に置換可能な情報処理装置が知られている（例えば、特許文献１参照）。
【先行技術文献】
【特許文献】
【０００４】
【特許文献１】特開２００６−１６５７８５号公報
【発明の概要】
【発明が解決しようとする課題】
【０００５】
ところで、表示部に列挙して表示される複数の文字情報の中に、表示部に設定される表示領域を超える表示サイズの文字情報が含まれる場合がある。その文字情報に含まれる単語が略語に置換されると、表示される複数の文字情報の中に同じ意味を有する単語とその略語とが混在する場合がある。この場合、表示された複数の文字情報の内容を確認するユーザーにおいて、単語とその略語とが異なる意味を有するものであるとの誤認が生じるおそれがある。
【０００６】
本発明の目的は、表示部に列挙して表示される複数の文字情報の内容を確認するユーザーにおいて生じる誤認の発生を抑制可能な表示装置、情報処理装置、及び文字情報表示方法を提供することにある。
【課題を解決するための手段】
【０００７】
本発明の一の局面に係る表示装置は、表示処理部と、検出処理部と、置換処理部とを備える。前記表示処理部は、複数の文字情報を表示部に設定される表示領域に列挙して表示させる。前記検出処理部は、前記表示処理部により表示される複数の前記文字情報から表示サイズが前記表示領域のサイズを超える特定文字情報を検出する。前記置換処理部は、前記検出処理部により前記特定文字情報が検出された場合に、前記表示処理部により表示される複数の前記文字情報各々に含まれる単語のうち前記特定文字情報に含まれる前記単語と同一の特定単語を前記特定単語に対応する略語に置換する。
【０００８】
本発明の他の局面に係る情報処理装置は、表示装置を備える。前記表示装置は、表示処理部と、検出処理部と、置換処理部とを備える。前記表示処理部は、複数の文字情報を表示部に設定される表示領域に列挙して表示させる。前記検出処理部は、前記表示処理部により表示される複数の前記文字情報から表示サイズが前記表示領域のサイズを超える特定文字情報を検出する。前記置換処理部は、前記検出処理部により前記特定文字情報が検出された場合に、前記表示処理部により表示される複数の前記文字情報各々に含まれる単語のうち前記特定文字情報に含まれる前記単語と同一の特定単語を前記特定単語に対応する略語に置換する。
【０００９】
本発明の他の局面に係る文字情報表示方法は、以下の第１ステップ、第２ステップ、及び第３ステップを含む。前記第１ステップは、複数の文字情報を表示部に設定される表示領域に列挙して表示させる。前記第２ステップは、前記第１ステップにより表示される複数の前記文字情報から表示サイズが前記表示領域のサイズを超える特定文字情報を検出する。前記第３ステップは、前記第２ステップにより前記特定文字情報が検出された場合に、前記第１ステップにより表示される複数の前記文字情報各々に含まれる単語のうち前記特定文字情報に含まれる前記単語と同一の特定単語を前記特定単語に対応する略語に置換する。
【発明の効果】
【００１０】
本発明によれば、表示部に列挙して表示される複数の文字情報の内容を確認するユーザーにおいて生じる誤認の発生を抑制することが可能である。
【図面の簡単な説明】
【００１１】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置の記憶部に格納される文字データの一例を示す図である。
【図４】図４は、本発明の実施形態に係る画像処理装置の操作表示部に設定される表示領域の一例を示す図である。
【図５】図５は、本発明の実施形態に係る画像処理装置の記憶部に格納される略語データの一例を示す図である。
【図６】図６は、本発明の実施形態に係る画像処理装置で実行される文字情報表示処理の一例を示すフローチャートである。
【図７】図７は、本発明の実施形態に係る画像処理装置の操作表示部に表示される複数の文字情報の一例を示す図である。
【図８】図８は、従来の情報処理装置の表示部に表示される複数の文字情報の一例を示す図である。
【図９】図９は、本発明の実施形態に係る画像処理装置の記憶部に格納される文字データの他の一例を示す図である。
【発明を実施するための形態】
【００１２】
以下、添付図面を参照しながら、本発明の実施形態について説明し、本発明の理解に供する。なお、以下の実施形態は、本発明を具体化した一例であって、本発明の技術的範囲を限定するものではない。
【００１３】
［画像処理装置１０の概略構成］
まず、図１及び図２を参照しつつ、本発明の実施形態に係る画像処理装置１０の概略構成について説明する。ここで、図１は画像処理装置１０の構成を示す断面模式図である。
【００１４】
画像処理装置１０は、原稿から画像データを読み取るスキャン機能、及び画像データに基づいて画像を形成するプリント機能と共に、ファクシミリ機能、又はコピー機能などの複数の機能を有する複合機である。ここに、画像処理装置１０が、本発明における情報処理装置の一例である。なお、本発明は、スキャナー装置、プリンター装置、ファクシミリ装置、コピー機、パーソナルコンピューター、スマートフォン、タブレット端末、テレビ、空気調和器、洗濯機、冷蔵庫、電子レンジなどの情報処理装置に適用可能である。
【００１５】
具体的に、画像処理装置１０は、図１及び図２に示すように、ＡＤＦ（自動原稿搬送装置）１、画像読取部２、画像形成部３、給紙部４、制御部５、操作表示部６、及び記憶部７を備える。ここに、制御部５及び操作表示部６を備える装置が、本発明における表示装置の一例である。
【００１６】
ＡＤＦ１は、原稿セット部、複数の搬送ローラー、原稿押さえ、及び排紙部を備え、画像読取部２によって読み取られる原稿を搬送する。画像読取部２は、原稿台、光源、複数のミラー、光学レンズ、及びＣＣＤを備え、原稿から画像データを読み取ることが可能である。
【００１７】
画像形成部３は、画像読取部２で読み取られた画像データ又は外部の情報処理装置から入力された画像データに基づいて、電子写真方式で画像を形成可能である。具体的に、画像形成部３は、感光体ドラム、帯電装置、光走査装置、現像装置、転写ローラー、クリーニング装置、定着ローラー、加圧ローラー、及び排紙部を備える。そして、画像形成部３では、給紙部４から供給されるシートに画像が形成されて、画像形成後の前記シートが前記排紙部に排出される。
【００１８】
制御部５は、不図示のＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは、前記ＣＰＵが実行する各種の処理の一時記憶メモリー（作業領域）として使用される揮発性の記憶装置である。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１９】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。ここに、操作表示部６が、本発明における表示部の一例である。
【００２０】
記憶部７は、不揮発性の記憶装置である。例えば、記憶部７は、フラッシュメモリー、ＳＳＤ（ソリッドステートドライブ）、又はＨＤＤ（ハードディスクドライブ）などの記憶装置である。
【００２１】
ところで、画像処理装置１０では、画像処理装置１０からユーザーに向けてのメッセージなどの文字情報が操作表示部６に表示される。前記文字情報は、操作表示部６に設定される表示領域内に表示される。また、画像処理装置１０では、複数の前記文字情報が前記表示領域内に列挙して表示されることがある。
【００２２】
ここで、操作表示部６に表示される前記文字情報の表示サイズが操作表示部６に設定される前記表示領域のサイズを超える場合がある。例えば、画像処理装置１０に設けられる操作表示部６のサイズが、画像処理装置１０の機種によって異なる場合がある。操作表示部６のサイズが異なれば、操作表示部６に設定可能な前記表示領域のサイズも異なる場合がある。そのため、機種が異なる複数の画像処理装置１０で共通の前記文字情報が使用される場合、操作表示部６のサイズが他の機種より小さい画像処理装置１０において操作表示部６に表示される前記文字情報の表示サイズが前記表示領域のサイズを超えることがある。これに対し、操作表示部６に表示される前記文字情報の表示サイズが前記表示領域のサイズを超える場合に、前記文字情報に含まれる単語をその単語に対応する略語に置換可能な情報処理装置が知られている。
【００２３】
ところで、操作表示部６に列挙して表示される複数の前記文字情報の中に、操作表示部６に設定される前記表示領域を超える表示サイズの前記文字情報が含まれる場合がある。ここで、前記文字情報に含まれる前記単語が前記略語に置換されると、表示される複数の前記文字情報の中に同じ意味を有する前記単語と前記略語とが混在する場合がある。この場合、表示された複数の前記文字情報の内容を確認するユーザーにおいて、前記単語と前記略語とが異なる意味を有するものであるとの誤認が生じるおそれがある。これに対し、本発明の実施形態に係る画像処理装置１０では、以下に説明するように、操作表示部６に列挙して表示される複数の前記文字情報の内容を確認するユーザーにおいて生じる誤認の発生を抑制することが可能である。
【００２４】
具体的に、制御部５の前記ＲＯＭには、前記ＣＰＵに後述の文字情報表示処理（図６のフローチャート参照）を実行させるための文字情報表示プログラムが予め記憶されている。なお、前記文字情報表示プログラムは、ＣＤ、ＤＶＤ、フラッシュメモリーなどのコンピューター読み取り可能な記録媒体に記録されており、前記記録媒体から読み取られて記憶部７にインストールされるものであってもよい。
【００２５】
そして、制御部５は、図２に示すように、取得処理部５１、表示処理部５２、検出処理部５３、及び置換処理部５４を含む。具体的に、制御部５は、前記ＣＰＵを用いて前記ＲＯＭに記憶されている前記文字情報表示プログラムを実行する。これにより、制御部５は、取得処理部５１、表示処理部５２、検出処理部５３、及び置換処理部５４として機能する。
【００２６】
取得処理部５１は、操作表示部６に列挙して表示される複数の前記文字情報を取得する。具体的に、取得処理部５１は、予め定められた取得条件を充足する場合に、前記取得条件に対応する複数の前記文字情報を取得する。例えば、前記取得条件には、特定の項目に属する複数の前記文字情報の一覧を表示する旨の操作入力が操作表示部６に対して行われることが含まれる。なお、前記取得条件には、画像処理装置１０で予め定められた複数の処理が開始され又は終了したこと、画像処理装置１０において複数のエラーが発生したこと等が含まれてもよい。
【００２７】
例えば、画像処理装置１０では、前記文字情報を含む複数の文字データが予め記憶部７に格納されている。なお、前記文字データは、制御部５の前記ＲＯＭに格納されるものであってもよいし、外部のサーバー等の備える記憶装置に格納されるものであってもよい。
【００２８】
ここで、記憶部７に格納される前記文字データの一例を図３に示す。図３に示す文字データＤ１１〜Ｄ１５各々は、識別情報、前記文字情報、及び前記文字情報に含まれる文字数を示す情報を有する。なお、図３に示す文字データＤ１１〜Ｄ１５各々に含まれる複数の前記文字情報は、用紙サイズと拡大縮小率との関係を示す情報である。
【００２９】
画像処理装置１０では、前記取得条件と複数の前記識別情報とが予め関連付けられている。取得処理部５１は、前記取得条件を充足する場合に、前記取得条件に関連付けられた複数の前記識別情報に基づいて、記憶部７から複数の前記文字データを取得する。
【００３０】
表示処理部５２は、取得処理部５１により取得される複数の前記文字情報を操作表示部６に設定される前記表示領域に列挙して表示させる。例えば、表示処理部５２は、前記取得条件を充足する場合に、予め定められたサイズの前記表示領域を操作表示部６に表示されている操作画面上に設定する。なお、表示処理部５２は、前記取得条件を充足する場合に、予め定められたサイズの前記表示領域を含む表示画面を操作表示部６に表示させてもよい。
【００３１】
ここで、操作表示部６に設定される前記表示領域の一例を図４に示す。図４に示す表示領域Ａ１０は、複数の区分領域Ａ１１〜Ａ１５を有する。区分領域Ａ１１〜Ａ１５各々には、取得処理部５１により取得される前記文字情報が表示される。なお、表示領域Ａ１０における区分領域Ａ１１の上部には、区分領域Ａ１１〜Ａ１５に表示される複数の前記文字情報が属する項目の名称が表示される。
【００３２】
表示処理部５２は、置換処理部５４による処理が実行された後の前記文字情報を前記表示領域に表示させる。置換処理部５４については後述する。
【００３３】
検出処理部５３は、表示処理部５２により表示される複数の前記文字情報から、表示サイズが前記表示領域のサイズを超える特定文字情報を検出する。例えば、検出処理部５３は、初期設定又はユーザー操作により設定されたフォントサイズに基づいて、表示処理部５２により操作表示部６に設定される前記表示領域における表示可能文字数を算出する。続いて、検出処理部５３は、算出された前記表示領域における表示可能文字数及び取得処理部５１により取得された前記文字データに含まれる前記文字数を示す情報に基づいて、前記文字データに含まれる前記文字情報の文字数が前記表示領域における表示可能文字数を超えるか否かを判断する。そして、検出処理部５３は、文字数が前記表示領域における表示可能文字数を超えると判断された前記文字情報を、前記特定文字情報として検出する。
【００３４】
置換処理部５４は、検出処理部５３により前記特定文字情報が検出された場合に、表示処理部５２により表示される複数の前記文字情報各々に含まれる前記単語のうち、前記特定文字情報に含まれる前記単語と同一の特定単語を前記特定単語に対応する前記略語に置換する。例えば、置換処理部５４は、前記特定文字情報の表示サイズの前記表示領域のサイズからの超過量に応じた数の前記特定単語を前記略語に置換する。
【００３５】
例えば、画像処理装置１０では、前記単語と前記単語に対応する前記略語とを含む略語データが予め記憶部７に格納されている。なお、前記略語データは、制御部５の前記ＲＯＭに格納されるものであってもよいし、外部のサーバー等の備える記憶装置に格納されるものであってもよい。
【００３６】
ここで、記憶部７に格納される前記略語データの一例を図５に示す。図５に示す略語データＤ２１〜Ｄ２４各々は、前記単語を示す情報、及び前記単語に対応する前記略語を示す情報を有する。
【００３７】
置換処理部５４は、前記特定文字情報が検出された場合に、前記特定文字情報に含まれる前記単語のうち文字数が最も多い前記単語を抽出して、抽出された前記単語を含む前記略語データを記憶部７から取得する。そして、置換処理部５４は、取得処理部５１により取得された複数の前記文字情報各々に含まれる前記単語のうち、抽出された前記単語と同一の前記単語（前記特定単語）を、取得された前記略語データに含まれる前記略語に置換する。
【００３８】
また、置換処理部５４は、抽出された前記単語が前記略語に置換された後の前記特定文字情報の表示サイズが前記表示領域のサイズを超える場合は、前記特定文字情報に含まれる前記単語のうち次に文字数が多い前記単語を抽出して、抽出された前記単語を含む前記略語データを記憶部７から取得する。そして、置換処理部５４は、取得処理部５１により取得された複数の前記文字情報各々に含まれる前記単語のうち、抽出された前記単語と同一の前記単語（前記特定単語）を、取得された前記略語データに含まれる前記略語に置換する。
【００３９】
その後、置換処理部５４は、前記特定文字情報の表示サイズが前記表示領域のサイズ以下となるまで、前記特定文字情報に含まれる前記単語に対して、以上と同様の処理を実行する。なお、置換処理部５４は、前記特定文字情報に含まれる複数の前記単語に対して、以上の説明と異なる順序で処理を実行してもよい。
【００４０】
ところで、画像処理装置１０において、前記文字情報に含まれる前記単語が前記単語に対応する前記略語に置換された置換文字情報が、予め記憶部７に格納されていてもよい。例えば、記憶部７に格納される文字データＤ１１〜Ｄ１５各々が、図９に示すように、前記識別情報、前記文字情報、及び前記文字数を示す情報に加えて、前記置換文字情報を有していてもよい。
【００４１】
この場合、置換処理部５４は、検出処理部５３により前記特定文字情報が検出された場合に、表示処理部５２により表示される複数の前記文字情報各々を前記置換文字情報に置換する。
【００４２】
［文字情報表示処理］
以下、図６を参照しつつ、画像処理装置１０において制御部５により実行される文字情報表示処理の手順の一例と共に、本発明の文字情報表示方法について説明する。ここで、ステップＳ１１、Ｓ１２・・・は、制御部５により実行される処理手順（ステップ）の番号を表している。
【００４３】
＜ステップＳ１１＞
まず、ステップＳ１１において、制御部５は、前記取得条件を充足したか否かを判断する。例えば、制御部５は、用紙サイズと拡大縮小率との関係の一覧を表示する旨の操作入力が操作表示部６に対して行われた場合に、前記取得条件を充足したと判断する。
【００４４】
ここで、制御部５は、前記取得条件を充足したと判断すると（Ｓ１１のＹｅｓ側）、処理をステップＳ１２に移行させる。また、前記取得条件を充足していなければ（Ｓ１１のＮｏ側）、制御部５は、前記取得条件を充足したと判断するまでの間、処理をステップＳ１１で待機させる。
【００４５】
＜ステップＳ１２＞
ステップＳ１２において、制御部５は、ステップＳ１１で充足したと判断された前記取得条件に対応する複数の前記文字情報を取得する。例えば、制御部５は、前記取得条件に関連付けられた複数の前記識別情報に基づいて、図３に示す文字データＤ１１〜Ｄ１５を記憶部７から取得する。ここで、ステップＳ１１及びステップＳ１２の処理は、制御部５の取得処理部５１により実行される。
【００４６】
＜ステップＳ１３＞
ステップＳ１３において、制御部５は、予め定められたサイズの前記表示領域を操作表示部６に表示されている操作画面上に設定する。例えば、制御部５は、図４に示す表示領域Ａ１０を操作表示部６に表示させる。ここで、ステップＳ１３の処理は、制御部５の表示処理部５２により実行される。
【００４７】
＜ステップＳ１４＞
ステップＳ１４において、制御部５は、ステップＳ１２で取得された複数の前記文字情報のうちの一つについて、前記特定文字情報であるか否かを判断する。例えば、制御部５は、ステップＳ１２で取得された文字データＤ１２に含まれる前記文字情報が前記特定文字情報であるか否かを判断する。
【００４８】
例えば、制御部５は、初期設定又はユーザー操作により設定されたフォントサイズに基づいて、ステップＳ１３で設定された表示領域Ａ１０における表示可能文字数を算出する。続いて、制御部５は、算出された表示領域Ａ１０における表示可能文字数、及びステップＳ１２で取得された文字データＤ１２に含まれる前記文字数を示す情報に基づいて、文字データＤ１２に含まれる前記文字情報の文字数が表示領域Ａ１０における表示可能文字数を超えるか否かを判断する。そして、制御部５は、文字データＤ１２に含まれる前記文字情報の文字数が表示領域Ａ１０における表示可能文字数を超えると判断された場合に、文字データＤ１２に含まれる前記文字情報が前記特定文字情報であると判断する。例えば、算出された表示領域Ａ１０における表示可能文字数が１８文字である場合、制御部５は、文字データＤ１２に含まれる前記文字情報が前記特定文字情報であると判断する。
【００４９】
ここで、制御部５は、ステップＳ１２で取得された複数の前記文字情報のうちの一つが前記特定文字情報であると判断すると（Ｓ１４のＹｅｓ側）、処理をステップＳ１５に移行させる。また、ステップＳ１２で取得された複数の前記文字情報のうちの一つが前記特定文字情報でなければ（Ｓ１４のＮｏ側）、制御部５は、処理をステップＳ１６に移行させる。
【００５０】
＜ステップＳ１５＞
ステップＳ１５において、制御部５は、ステップＳ１２で取得された複数の前記文字情報各々に含まれる前記単語のうち、ステップＳ１４で前記特定文字情報であると判断された前記文字情報に含まれる前記単語と同一の前記特定単語を前記特定単語に対応する前記略語に置換する。ここに、ステップＳ１５の処理が、本発明における第３ステップの一例であって、制御部５の置換処理部５４により実行される。
【００５１】
例えば、制御部５は、ステップＳ１４で文字データＤ１２に含まれる前記文字情報が前記特定文字情報であると判断された場合に、前記文字情報に含まれる前記単語のうち文字数が最も多い前記単語「Ｓｔａｔｅｍｅｎｔ」を抽出して、抽出された前記単語「Ｓｔａｔｅｍｅｎｔ」を含む略語データＤ２２を記憶部７から取得する。そして、制御部５は、ステップＳ１２で取得された文字データＤ１１〜Ｄ１５に含まれる複数の前記文字情報各々の前記単語のうち、抽出された前記単語「Ｓｔａｔｅｍｅｎｔ」と同一の前記単語（前記特定単語）を、取得された略語データＤ２２に含まれる前記略語「ＳＴＭＴ」に置換する。
【００５２】
また、制御部５は、前記単語「Ｓｔａｔｅｍｅｎｔ」が前記略語「ＳＴＭＴ」に置換された後の文字データＤ１２に含まれる前記文字情報の表示サイズが表示領域Ａ１０のサイズを超える場合は、文字データＤ１２に含まれる前記文字情報から次に文字数が多い前記単語「Ｌｅｔｔｅｒ」を抽出して、抽出された前記単語「Ｌｅｔｔｅｒ」を含む略語データＤ２３を記憶部７から取得する。そして、制御部５は、ステップＳ１２で取得された文字データＤ１１〜Ｄ１５に含まれる複数の前記文字情報各々の前記単語のうち、抽出された前記単語「Ｌｅｔｔｅｒ」と同一の前記単語（前記特定単語）を、取得された略語データＤ２３に含まれる前記略語「ＬＴＲ」に置換する。
【００５３】
なお、図９に示すように、記憶部７に格納される文字データＤ１１〜Ｄ１５各々が前記置換文字情報を有している場合、制御部５は、ステップＳ１５において、ステップＳ１２で取得された複数の前記文字情報各々を前記置換文字情報に置換してもよい。この場合、制御部５は、ステップＳ１５の処理の終了後に、ステップＳ１７の処理を実行する。これにより、ステップＳ１４〜ステップＳ１６における処理内容が簡略化される。
【００５４】
＜ステップＳ１６＞
ステップＳ１６において、制御部５は、ステップＳ１２で取得された複数の前記文字情報の全てについて、ステップＳ１４での前記特定文字情報であるか否かの判断が行われたか否かを判断する。
【００５５】
ここで、制御部５は、ステップＳ１２で取得された複数の前記文字情報の全てについて、ステップＳ１４での前記特定文字情報であるか否かの判断が行われたと判断すると（Ｓ１６のＹｅｓ側）、処理をステップＳ１７に移行させる。また、ステップＳ１２で取得された複数の前記文字情報の全てについて、ステップＳ１４での前記特定文字情報であるか否かの判断が行われていなければ（Ｓ１６のＮｏ側）、制御部５は、処理をステップＳ１４に移行させる。再度実行されるステップＳ１４では、未だ前記特定文字情報であるか否かの判断が行われていない前記文字情報について、前記特定文字情報であるか否かが制御部５により判断される。ここに、ステップＳ１４及びステップＳ１６の処理が、本発明における第２ステップの一例であって、制御部５の検出処理部５３により実行される。
【００５６】
＜ステップＳ１７＞
ステップＳ１７において、制御部５は、ステップＳ１２で取得され、ステップＳ１５での処理が実行された後の複数の前記文字情報を、ステップＳ１３で設定された前記表示領域に列挙して表示させる。ここに、ステップＳ１７の処理が、本発明における第１ステップの一例であって、制御部５の表示処理部５２により実行される。
【００５７】
例えば、制御部５は、文字データＤ１１〜Ｄ１５に含まれる複数の前記文字情報各々を、初期設定又はユーザー操作により設定されたフォントサイズで、表示領域Ａ１０の区分領域Ａ１１〜Ａ１５各々に表示させる。
【００５８】
ここで、ステップＳ１７で表示領域Ａ１０に列挙して表示される複数の前記文字情報の一例を図７に示す。なお、図７では、ステップＳ１４で表示領域Ａ１０における表示可能文字数が１８文字であると算出された場合の表示例が示されている。そのため、文字データＤ１１〜Ｄ１５に含まれる複数の前記文字情報のうち、文字数が１８文字を超える文字データＤ１１〜Ｄ１３、及び文字データＤ１５各々の前記文字情報に含まれる前記単語（「Ｓｔａｔｅｍｅｎｔ」及び「Ｌｅｔｔｅｒ」）が、前記単語に対応する前記略語（「ＳＴＭＴ」及び「ＬＴＲ」）に置換されている。
【００５９】
一方、従来の情報処理装置の表示部に設定される表示領域Ａ２０における複数の前記文字情報の表示例を図８に示す。例えば、従来の情報処理装置では、列挙して表示される複数の前記文字情報の中に表示サイズが表示領域Ａ２０のサイズを超える前記特定文字情報が存在する場合に、前記特定文字情報に含まれる前記単語のみが前記略語に置換される。そのため、従来の情報処理装置では、図８に示すように、列挙して表示される複数の前記文字情報の中に、同じ意味の前記単語「Ｌｅｔｔｅｒ」と前記略語「ＬＴＲ」とが、混在することがある。
【００６０】
これに対し、画像処理装置１０では、列挙して表示される複数の前記文字情報に含まれる全ての前記単語が、前記略語への置換の対象とされる。そのため、図７に示すように、列挙して表示される複数の前記文字情報の中に、同じ意味の前記単語「Ｌｅｔｔｅｒ」と前記略語「ＬＴＲ」とが混在することがない。
【００６１】
このように、前記文字情報表示処理では、前記特定文字情報が検出された場合に、前記表示領域に列挙して表示される複数の前記文字情報各々に含まれる前記単語のうち、前記特定文字情報に含まれる前記単語と同一の前記特定単語が前記特定単語に対応する前記略語に置換される。これにより、列挙して表示される複数の前記文字情報の中に同じ意味を有する前記単語と前記略語とが混在する事態の発生が回避される。従って、操作表示部６に列挙して表示される複数の前記文字情報の内容を確認するユーザーにおいて生じる誤認の発生を抑制することが可能である。
【符号の説明】
【００６２】
１  ：ＡＤＦ
２  ：画像読取部
３  ：画像形成部
４  ：給紙部
５  ：制御部
６  ：操作表示部
７  ：記憶部
１０：画像処理装置
５１：取得処理部
５２：表示処理部
５３：検出処理部
５４：置換処理部
【図１】
2016212652.tif 000003
【図２】
2016212652.tif 000004
【図３】
2016212652.tif 000005
【図４】
2016212652.tif 000006
【図５】
2016212652.tif 000007
【図６】
2016212652.tif 000008
【図７】
2016212652.tif 000009
【図８】
2016212652.tif 000010
【図９】
2016212652.tif 000011